(57)【特許請求の範囲】
【請求項１】
ブレーカの電源側接続端子を有する前面、及び負荷側接続端子を有する背面の下端部に係合部を設けると共に、取付台に前記係合部を係止してブレーカを固定する係止部を設け、取付台上へのブレーカの載置操作と、載置後の前進移動操作とにより前記係合部を係止部に係止するブレーカの取付構造であって、
係止部を、取付台に一体形成したブレーカ前面側係合部を係止する固定係止片と、ブレーカ背面側係合部を係止する移動係止片とで形成し、
該移動係止片は取付台に組み付けられた移動保治具に形成され、該移動保治具は、取付台に載置したブレーカの前進移動に追従して移動すると共に前進位置にてブレーカの後退移動を禁止するロック機構部を具備し、前進移動した際に前記移動係止片がブレーカ背面側係合部に対して係止動作することを特徴とするブレーカ取付構造。
【請求項２】
ロック機構部は、移動保治具が取付台に組み付けられた状態で拡幅付勢された掛合部を有し、移動保治具を前進移動した際に取付台に形成した掛合段部に前記掛合部が拡幅掛止して移動保持具の後退移動を禁止する請求項１記載のブレーカ取付構造。
【請求項３】
移動保持具は、ブレーカ前面に掛止する掛止片を有し、ブレーカを前進移動した際に移動保持具も追従して前進すると共に、移動保治具を後退移動した際にブレーカも連動して後退移動する請求項１又は２記載のブレーカ取付構造。
【請求項４】
ブレーカの前面及び背面の下端部に形成した係合部が前方或いは後方に突出した突起体であり、固定係止片及び移動係止片が前記突起体を挿入する凹溝を有する請求項１乃至３の何れかに記載のブレーカ取付構造。
【発明の詳細な説明】
【０００１】
【発明の属する技術分野】
本発明は、分電盤内に装着するブレーカの取付構造に関する。
【０００２】
【従来の技術】
従来の分電盤内へのブレーカの取り付けは、ブレーカにねじ挿入孔を設け、ねじにより分電盤内に設けたブレーカ取付パネルに固定したり、図４（ａ）に示すように、接続端子２０ａ，２０ｂを有するブレーカ２１の前面及び背面の下部に凹部２２を形成すると共に、ブレーカ取付パネル２３にその凹部２２に挿入して係止する鉤状の係止爪２４を突設し、そのうち一方の係止爪をねじ２５により締着してブレーカ２１を着脱可能としたり、図４（ｂ）に示すように、一方の係止爪２４ａを弾性を持たせて形成することで、ブレーカ２１を上方から挿入し、弾性を利用して凹部２２を係止してブレーカ２１を固定していた。また、図５に示すようにブレーカ取付パネル２３に断面逆台形に形成したレール部材２７を設けると共に、ブレーカ底面にそのレール部材２７に係合するアリ溝２８を形成し、左右方向に移動可能に連結する構成があった。
【０００３】
しかし、ねじで固定するものは、ねじ締めに時間を要し面倒であるし、ねじを紛失してしまい取り付けできなくなる畏れがあった。係止爪２４を用いる構造は、一方の掛止爪２４にねじ２５を使用するため、やはり面倒であった。また、弾性を利用するものは、取り外す際に弾性部材を固定しながらブレーカを斜めにして取り外さなければならないため、母線バー（図示せず）に接続されている電源側接続端子２０ａに過度のストレスが加わり劣化したり、ブレーカ２１が複数隣接して設置されている場合は、取り外し作業が非常に厄介であった。また、弾性部材の保持力が低下することもあり、安定して固定できないこともあった。
更に、レール部材２７に係止させる構造は、レール部材２７が必要であるし、あり溝２８を嵌合させただけなので保持力が弱く、輸送中に係止が外れてブレーカが脱落することもあった。
【０００４】
そこで、着脱の際にブレーカの接続端子を傷めない取付構造として、特許第３０４６７９７号公報に開示された技術がある。これは、プラグインブレーカの取付構造であって、ブレーカを移動保治具を介在させて取付台に連結する構成で、移動保治具を母線バーに対して前進後退自在の取付台に装着して、ブレーカを接続する母線バーに対して前後移動可能に取り付け、着脱操作の際に電源側接続端子を劣化させないようにしている。また、このような構成とすることで、隣接して複数のブレーカが取り付けられていても、任意のブレーカを容易に取り外すことができる。
【０００５】
【発明が解決しようとする課題】
しかし、上記特許第３０４６７９７号公報の技術は、ブレーカの分電盤への装着に際して、ねじを使用することが無くても移動保治具をブレーカ取付台に装着する作業、及びブレーカを移動保治具に装着する作業が必要でり、作業工程が多く、また移動保治具にブレーカを装着する工程は勘合箇所があるため無造作にセットできず、装着に時間を要するものであったし、移動保治具の加工及び、ブレーカ取付台に移動保治具を取り付けるための取付台加工も必要でありコスト高であった。また、移動保治具を介して取付台に装着するので、堅牢な連結状態とするのが難しかった。
【０００６】
そこで、本発明は上記問題点に鑑み、ブレーカの着脱操作を取付台上での前後移動により行うことを簡素な構造で可能とし、また堅牢な連結構造を得るブレーカ取付構造を提供することを課題とする。
【０００７】
【課題を解決するための手段】
上記課題を解決するため、請求項１の発明は、ブレーカの電源側接続端子を有する前面、及び負荷側接続端子を有する背面の下端部に係合部を設けると共に、取付台に前記係合部を係止してブレーカを固定する係止部を設け、取付台上へのブレーカの載置操作と、載置後の前進移動操作とにより前記係合部を係止部に係止するブレーカの取付構造であって、係止部を、取付台に一体形成したブレーカ前面側係合部を係止する固定係止片と、ブレーカ背面側係合部を係止する移動係止片とで形成し、該移動係止片は取付台に組み付けられた移動保治具に形成され、該移動保治具は、取付台に載置したブレーカの前進移動に追従して移動すると共に前進位置にてブレーカの後退移動を禁止するロック機構部を具備し、前進移動した際に前記移動係止片がブレーカ背面側係合部に対して係止動作することを特徴とする。
【０００８】
請求項２の発明は、請求項１の発明において、ロック機構部は、移動保治具が取付台に組み付けられた状態で拡幅付勢された掛合部を有し、移動保治具を前進移動した際に取付台に形成した掛合段部に前記掛合部が拡幅掛止して移動保持具の後退移動を禁止することを特徴とする。
【０００９】
請求項３の発明は、請求項１又は２の発明において、移動保持具は、ブレーカ前面に掛止する掛止片を有し、ブレーカを前進移動した際に移動保持具も追従して前進すると共に、移動保治具を後退移動した際にブレーカも連動して後退移動することを特徴とする。
【００１０】
請求項４の発明は、請求項１乃至３の何れかの発明において、ブレーカの前面及び背面の下端部に形成した係合部が前方或いは後方に突出した突起体であり、固定係止片及び移動係止片が前記突起体を挿入する凹溝を有することを特徴とする。
【００１１】
【発明の実施の形態】
以下、本発明を具体化した実施の形態を、図面に基づいて詳細に説明する。図１は本発明に係るブレーカ取付構造の１例を示し、（ａ）はブレーカを分電盤内のブレーカ取付台に取り付けた状態の平面図、（ｂ）は正面図、（ｃ）は側面図である。図において、１はブレーカ、２は取付台、３は移動保治具であり、ブレーカ１は電源側接続端子４ａを設けた前面１ａ、及び負荷側接続端子４ｂを設けた背面１ｂの双方の下端部に係合部である略四角形の突起体５ａ，５ｂを設け、双方の突起体５ａ，５ｂを取付台２に設けた係止部により保持固定して取り付けられている。
尚、図１（ａ），（ｃ）の右側には分電盤の母線バー（図示せず）が配置されており、取付台２に取り付けられたブレーカ１は、その前面に設けた電源側接続端子４ａが母線バーに接続される。
【００１２】
取付台２は、前後に段部６ａ，６ｂを有し、ブレーカ載置部を嵩上げして内部に空間を有するよう形成され、前部の段部６ａには固定掛止片となる切り起こし片７が打ち抜き立設して形成され、その内部に係止穴７ａを有している。そして、係止穴７ａがブレーカ１の前面側突起体５ａを係止する一方の係止部を形成している。
また、載置面の途中から後部段部５ｂに亘って前方に形成した固定係止片７の位置に合わせて広幅と挟幅の２段の開口部８が段部９を介して形成され、開口部８から移動保治具３の一部が突出している。
この移動保持具３は、取付台２の内部空間に本体３ａを配置し、先端が固定係止片７に隣接して取付台前部の段部６ａに形成した切り欠き溝１０から前方に突出してブレーカ前面１ａに掛合するフラップ形状の掛止片３ｂが形成され、後部には操作突起１２と移動係止片１３が開口部８から取付台上に突出して形成されている。
【００１３】
移動保治具３を図２を基に更に詳細に説明する。図２（ａ）は移動保治具３の平面図、（ｂ）は側面図、（ｃ）は底面図であり、移動保治具３は樹脂成形により形成され、図示するように、後部には左右二股に分かれてＶ字状に形成されたロック機構部１５が形成されている。
ロック機構部１５は、上部に掴持操作するための操作突起１２を有し、またＶ字状の基部にはブレーカ１の背面側突起体５ｂを保持して係止する移動係止片１３が２分割して形成され、操作突起１２の下部には取付台２の開口部８の左右壁面に当接するハ字状の掛合部１４が形成されている。また、Ｖ字状の二股部は弾性を有するように形成され、Ｖ字の開き角を図２（ｄ）に示すように狭くした際に拡幅付勢するよう形成されている。
【００１４】
ロック機構部１５にこのような弾性を持たせることで、取付台２に形成した開口８部の一方の広幅部８ａをその掛合部１４の成形幅に合わせて形成し、段部９を介してその後方に形成した挟幅部８ｂを、Ｖ字角を狭めて挿入可能な幅で形成すれば、ハ字状の掛合部１４を挟幅部８ｂから広幅部８ａに前進移動した際に、掛合部１４は段部９を通過した際に拡幅して段部１９に掛合部１４の後端部が掛止し、移動保治具３の後退移動が禁止され、移動保治具３はロックされる。
また、掛合部１４の後部に逆ハ字状に形成された部位は、段部９に当接した際に拡幅作用により移動保治具３を前進付勢する滑り面１４ａであり、段部９に滑り面１４ａが達すると移動保治具３は更に前進移動して、移動係止片１３が確実に前面側突起体５ｂを覆い、係止してブレーカ１を確実に取付台２に連結させることができる。
【００１５】
上記の如く形成した取付台２にブレーカ１を取り付ける手順を図３の操作説明図を基に説明する。まず初期状態として図３（ａ）に示すように、取付台２に組み付けた移動保治具３を最後部に引き出し、掛合部１４を開口部８の挟幅部８ｂに位置させる。
次に、ブレーカ１を取付台２に載置する。この時ブレーカ１は図３（ｂ）に示すように移動保治具３の掛止片３ｂと移動係止片１３の間に配置し、さらに前後の突起体５ａ，５ｂが、取付台２の固定係止片７及び移動係止片１３の正面に配置されるようにする。
【００１６】
そして、ブレーカ１を前方へスライド移動させる。こうすることで、図３（ｃ）に示すように前面側突起体５ａは固定係止片７に係止されると共に、掛止片３ｂの作用により移動保持具３も前方へスライド移動し、掛合部１４が段部９を通過する際に拡幅して、移動保治具３は後退禁止されロックされる。更に、その際移動係止片１３が後部突起体５ｂを係止するため、前後の突起体５ａ，５ｂが係止され、ブレーカ１は取付台２に連結される。
【００１７】
尚、この連結操作は、ブレーカ１を載置した後、移動保治具３を前進操作させても良く、移動係止片１３がブレーカ１を押し出して上記と同様にブレーカ１は取付台２に連結される。また、ブレーカ１の取り外し操作は、操作突起１２を掴持し、Ｖ字状部の開き角を小さくして掛止を解除して後方へ引き出せば、掛止片３ｂがブレーカ前面１ａに係止してブレーカ１が引き出され、取付台２との連結が解除され、ブレーカ１を取り外すことができる。
【００１８】
このように、ブレーカを取付台に載置した後、前進移動させるだけの簡単な操作でブレーカを取り付けることができ、取付時間を短縮できるし、載置する縦移動と前進させる横移動の単純な移動操作であるため、組み付け工程の自動化にも容易に対応することができ、組み付け作業のコストダウンを図ることができる。また、取付台に直接取り付けるので、堅牢な装着状態を得ることができるし、着脱操作の際にブレーカを斜めに操作することがないので、電源側接続端子と母線バーとの間で大きなストレスが発生することが無く、接続端子部が劣化することもない。
更に、前進移動して係合部を係止した際、ロックするので連結状態が外れることがないし、移動保治具の引き出し操作によりブレーカを引き出すことができるので、ブレーカが隣接配置されている場合でも、任意のブレーカを容易に取り出すことができる。また、取付台に勘合部等の特殊な加工を必要としないので、簡素な構造にでき安価に作成することができる。
【００１９】
尚、移動保治具は掛止片をブレーカ前面に掛合するように設けたが、ブレーカ底部に掛止片が掛合可能な凹部を設ければ、その底部に掛合するよう形成しても良い。また、ブレーカの係合部を突起体としたが、逆の凹部としても良く、この場合、固定係止片及び可動係止片は凹部に係合する鉤状の突起片とすれば良い。
【００２０】
【発明の効果】
以上詳述したように、本発明によれば、ブレーカを取付台に載置した後、前進移動させるだけの簡単な操作でブレーカを取付台に装着することができるので、着脱操作の際にブレーカを斜めにすることがないので、電源側接続端子を母線バーに接続或いは取り外しする際に接続端子にストレスが加わることが無く、接続端子が劣化することがない。また、取付台に勘合部等の特殊な加工を必要としないので、簡素な構造にでき安価に作成することができる。
更に、取付台に直接取り付けるので、堅牢な装着状態を得ることができるし、縦方向の載置操作と横方向の前進移動操作の単純な操作で連結するため、組み付けの自動化にも容易に対応することが可能であり、組み付け作業のコストダウンを図ることもできる。
また、前進移動して係合部を係止した際、ロックするので連結状態が外れることがないし、移動保治具の引き出し操作によりブレーカを引き出すことができるので、ブレーカが隣接配置されている場合でも、任意のブレーカを容易に取り出すことができる。
【図面の簡単な説明】
【図１】本発明に係るブレーカ取付構造の実施の形態の１例を示し、（ａ）はブレーカを取付台に装着した状態の平面図、（ｂ）は正面図、（ｃ）は側面図である。
【図２】移動保持具を示し、（ａ）は平面図、（ｂ）は側面図、（ｃ）は底面図であり、（ｄ）はロック機構部の開き角を狭めた状態を示す後部平面図である。
【図３】（ａ），（ｂ），（ｃ）はブレーカを取付台に連結する手順を示す図で、夫々平面図と側面図を示している。
【図４】（ａ），（ｂ）共に従来のブレーカ取付構造の１例を示す側面図である。
【図５】従来のブレーカ取付構造の他の例を示す側面図である。
【符号の説明】
１・・ブレーカ、２・・取付台、３・・移動保治具、３ｂ・・掛合片、４ａ・・電源側接続端子、４ｂ・・負荷側接続端子、５ａ，５ｂ・・突起体（係合部）、７・・固定係止片、７ａ・・係止穴、８・・開口部、９・・段部、１２・・操作突起、１３・・移動係止片、１４・・掛合部、１５・・ロック機構部。
【図１】
0004456236.tif 000002
【図２】
0004456236.tif 000003
【図３】
0004456236.tif 000004
【図４】
0004456236.tif 000005
【図５】
0004456236.tif 000006